【事件の表示】
　平成　４年特許願第２９６４５３号「異色券発行装置」拒絶査定に対する審判事件［平成　６年　４月２８日出願公開、特開平　６−１１９５１４］について、次のとおり審決する。
【結　論】
　本件審判の請求は、成り立たない。
【理　由】
１．手続の経緯、本願発明
　本願は、平成４年１０月７日の出願であって、その請求項２に係る発明は、平成１２年１０月１６日付け手続補正書によって補正された明細書及び図面の記載からみて、その特許請求の範囲の請求項２に記載された次のとおりのものと認める（以下、「本願発明」という）。
　「【請求項２】　券面に印字および磁気記録等の情報記録処理を施して発券する券発行装置であって、
上記券面に熱転写テープを介して熱転写印刷する熱転写プリンタと、
第１色と、これに異なる第２色とをテープ面の巻取り方向に交互に有する２色熱転写テープと、
発券時に、指定された券種に対応させて上記２色熱転写テープの第１色、第２色の券色を一方または他方あるいは双方を選択して印刷制御するプリンタ制御手段を備えた
異色券発行装置。」
　
２．引用例
　これに対して、原査定の拒絶の理由において引用された特開昭６０−１１３７９号公報（以下、「引用例」という）には、以下のような事項が記載されている。
　「［発明の技術分野］本発明は、たとえば定期券等の多色印刷用に適用し得る転写印刷装置に関する。」（第(１)頁右下欄第１３〜１５行目）、
　「近時、ワイヤドット式の印刷方式に変えて比較的簡単な構成でありながら、音が小さく、装置が簡単で且つ小形で耐ゲート性等の心配のない熱転写式の定期券類の多色印刷発行機の実用化が図られている。」（第(２)頁左上欄第１２〜１６行目）、
　「第１図には本発明の一実施例を示す定期券多色印刷発行機の機構部分を示す概略説明図で、装置本体１に原券供給機構２、熱転写多色印刷機構３、転写材移送手段として転写紙送り機構４、圧力定着機構５及び磁気エンコード機構６を具備している。」（第(２)頁左下欄第１２〜１７行目）、
　「この原券Ｐは第２図(ｂ)に示す様に、一面を印刷面Ｐaとし、一方他面を磁気記録面Ｐbとしてそれぞれ形成されている。」（第(２)右下欄第２〜４行目）、
　「たとえば二色の時は第６図(ａ)、(ｂ)に示す様に転写紙Ｆは転写剤の染料二色（黒・赤）を一定量（少なくとも券一枚転写分以上）を等ピッチに並べコートし、これら染料コート部ｆa…、ｆb…が形成された面Ｆaを外側にして、ロール状に巻上げられたものを使用」する。（第(４)頁左上欄第２０行目〜右上欄第６行目）、
　「発券指令に依り紙送りモータ９が回転し、印刷スタート検知器１４が「明」になるとヘッドブロック１７を動作させるソレノイド２８及び振分けフラッパ４２を動作させるソレノイド（図示しない）をＯＮし、印刷ヘッド１５をプラテンローラ１６に押し付け、印刷を可能にすると同時に、振分けフラッパ４２を動作させ、原券Ｐがプラテンローラ１６の外周上に行く様にする。
　次に、プラテンローラ駆動モータ４４及び転写紙送りモータ３６を回転し、原券Ｐが所定の印刷位置に来たら印刷を開始する。」（第(４)頁右上欄第１０行目〜左下欄第１行目）、
　「次に、二回目以降の印刷スタート検知器４３が「暗」になったら、振分けフラッパ用ソレノイド（図示しない）をＯＦＦする。更に、前記印刷スタート検知器が「明」になると、プラテンローラ駆動モータ４４の回転を止め励磁し、再度ヘッドブロック１７動作用ソレノイド２８をＯＮ（三回印字の場合は振分けフラッパ４２用ソレノイド（図示しない）も同時にＯＮ）し、次に、プラテンローラ駆動モータ４４及び転写紙送りモータ３６を回転し、原券Ｐが所定の印刷位置に来たら再度印刷を開始する。転写紙送りモータ３６は一定回転後回転を止め、励磁し、ヘッドブロック１７動作用ソレノイド２８をＯＦＦする。」（第(４)頁左下欄第１５行目〜右下欄第８行目）、
　「搬送ベルト４９ａ、４９ｂ、磁気書込ヘッド５０ａ、磁気読取ヘッド５０ｂ等で構成される磁気エンコード機構部６で、前段圧力定着機構部５より供給された原券Ｐを搬送ベルト４９ａ、４９ｂに依り、挟持搬送しながら自動改札機用磁気情報を書込み、更に読取りチェックを行い、正しい場合は正券として取出口５１へ排出し、誤った場合は取出口５１へ排出すると共に別途エラー表示を行う。」（第(４)頁右下欄第１７行目〜第(５)頁左上欄第５行目）。
　そうすると、引用例には下記のような発明が記載されている。
　「原券の券面に印字および磁気記録のエンコード処理を施して発券する定期券類の多色印刷発行機であって、
　上記原券に転写紙を介して熱転写印刷する熱転写印刷装置と、
　第１色と、これと異なる第２色とをテープ面の巻取り方向に交互に有する２色転写紙と、
　発券時に、第１色、第２色を用いて印刷するようにした熱転写多色印刷機構を備えた
定期券類の多色印刷発行機。」
　
３．対比・判断
　ここで本願発明と引用例の発明を対比する。
　本願発明も引用例に記載された発明も、多色にして券を発行するもので、両者の技術分野は共通するものであり、引用例の発明の「磁気記録のエンコード処理」、「転写紙を介して熱転写印刷する熱転写印刷装置」、「２色転写紙」は、それぞれ、本願発明の「磁気記録の情報記録処理」、「熱転写テープを介して熱転写印刷する熱転写プリンタ」、「２色熱転写テープ」に相当する。そして引用例の発明の「定期券類の多色印刷発行機」は、券面に熱転写テープを介して熱転写プリンタを用いて熱転写印刷して発券するものであるから、本願発明の「異色券発行装置」に相当する。
　そうすると本願発明と引用例の発明とは、
　「券面に印字および磁気記録等の情報記録処理を施して発券する券発行装置であって、
上記券面に熱転写テープを介して熱転写印刷する熱転写プリンタと、
第１色と、これに異なる第２色とをテープ面の巻取り方向に交互に有する２色熱転写テープと、
を備えた異色券発行装置。」
　で一致し、下記の点で相違する。
　相違点：本願発明は、「発券時に、指定された券種に対応させて上記２色熱転写テープの第１色、第２色の券色を一方または他方あるいは双方を選択して印刷制御するプリンタ制御手段」を備えているのに対し、引用例の発明は「発券時に、第１色、第２色を用いて印刷するようにした熱転写多色印刷機構」を備えているものの、「指定された券種に対応させて上記２色熱転写テープの第１色、第２色の券色を一方または他方あるいは双方を選択して印刷制御」する構成が明示されていない点。
　上記相違点について検討する。
　一般にカラー熱転写プリンタにおいて、カラー熱転写プリンタに使用される熱転写テープは、シアン部と、マゼンダ部と、イエロー部とをテープの巻き取り方向に交互に有し、カラー熱転写プリンタでカラー印刷する場合、シアン部、マゼンダ部、イエロー部をそれぞれを印刷に要求されるカラーに応じて一つを、二つを若しくは全部を選択して、カラー印刷を行うことは　本願出願時周知な技術事項であり、熱転写テープのシアン部と、マゼンダ部と、イエロー部とを、第１色とこれと異なる第２色の二色とし、その二色の一方、または他方あるいは双方を選択して印刷させるようにすること、すなわち「指定された券種に対応させて上記２色熱転写テープの第１色、第２色の券色を一方または他方あるいは双方を選択して印刷制御」させるようにすることは、当業者であれば上記周知事項から容易に推考し得たものと認められる。
　
４．むすび
　したがって、本願請求項２に係る発明は、引用例の発明に基づいて当業者が容易に発明をすることができたものと認められ、特許法第２９条第２項の規定により特許を受けることができない。
　よって、結論のとおり審決する。